(57)【要約】【課題】ユーザにリンク先ウェブページのアクセス状況を適切に把握させることが可能なアクセス状況表示システムの提供。【解決手段】アクセス状況表示システムのサーバ装置は、複数のリンク元ウェブページ６のうちいずれかを介してリンク先ウェブページにアクセスした旨を認識すると、このリンク先ウェブページのアクセス数を累計し、端末装置で表示中のリンク元ウェブページ６のＵＲＬを取得すると、リンク元ウェブページ６に内容情報６３が表示されているリンク先ウェブページの重畳画像生成用情報を端末装置へ送信する。端末装置は、この重畳画像生成用情報に基づいて、リンク先ウェブページのアクセス状況に対応する重畳画像６４Ｂ，６４Ｃを表示する。【選択図】図５
2010146451.tif 000002
【特許請求の範囲】
【請求項１】
リンク先ウェブページにリンクするリンク情報を有するリンク元ウェブページを表示可能な端末装置と、この端末装置とネットワークを介して接続されたサーバ装置と、を具備し、複数の前記リンク元ウェブページにリンクされている前記リンク先ウェブページのアクセス状況を前記端末装置で表示させるアクセス状況表示システムであって、
前記サーバ装置は、
前記複数のリンク元ウェブページのうちいずれかを介して前記リンク先ウェブページをアクセスした旨のアクセス情報を前記端末装置から取得して、前記リンク先ウェブページのアクセス数を累計するアクセス数累計手段と、
前記端末装置で表示中のリンク元ウェブページのアドレスを取得すると、前記リンク情報にリンクされているリンク先ウェブページの前記複数のリンク元ウェブページを介したアクセス数累計値に関するアクセス累計値情報を前記端末装置へ送信するサーバ送信手段と、を備え、
前記端末装置は、
前記アクセス情報を前記サーバ装置へ送信するアクセス情報送信手段と、
所定のリンク元ウェブページを表示すると、このリンク元ウェブページのアドレスを前記サーバ装置へ送信するリンク元アドレス送信手段と、
前記サーバ装置から表示中のリンク元ウェブページにリンクされているリンク先ウェブページの前記アクセス累計値情報を取得すると、このアクセス累計値情報に基づいて、前記リンク先ウェブページのアクセス状況を表すアクセス状況情報を生成するアクセス状況情報生成手段と、
このアクセス状況情報生成手段で生成されたアクセス状況情報を前記リンク先ウェブページのリンク情報に重ねて表示させるアクセス状況表示制御手段と、
を備えたことを特徴とするアクセス状況表示システム。
【請求項２】
リンク先ウェブページにリンクするリンク情報を有するリンク元ウェブページを表示可能な端末装置と、この端末装置とネットワークを介して接続されたサーバ装置と、を具備し、複数の前記リンク元ウェブページにリンクされている前記リンク先ウェブページのアクセス状況を前記端末装置で表示させるアクセス状況表示システムであって、
前記サーバ装置は、
前記複数のリンク元ウェブページのうちいずれかを介して前記リンク先ウェブページをアクセスした旨のアクセス情報を前記端末装置から取得して、前記リンク先ウェブページのアクセス数を累計するアクセス数累計手段と、
前記端末装置で表示中のリンク元ウェブページのアドレスを取得すると、前記リンク情報にリンクされているリンク先ウェブページの前記複数のリンク元ウェブページを介したアクセス数累計値に基づいて、前記リンク先ウェブページのアクセス状況を表すアクセス状況情報を生成するアクセス状況情報生成手段と、
このアクセス状況情報生成手段で生成されたアクセス状況情報を前記端末装置へ送信するサーバ送信手段と、を備え、
前記端末装置は、
前記アクセス情報を前記サーバ装置へ送信するアクセス情報送信手段と、
所定のリンク元ウェブページを表示すると、このリンク元ウェブページのアドレスを前記サーバ装置へ送信するリンク元アドレス送信手段と、
前記サーバ装置から表示中のリンク元ウェブページにリンクされているリンク先ウェブページの前記アクセス状況情報を取得して前記リンク先ウェブページのリンク情報に重ねて表示させるアクセス状況表示制御手段と、
を備えたことを特徴とするアクセス状況表示システム。
【請求項３】
請求項１または請求項２に記載のアクセス状況表示システムにおいて、
前記アクセス状況情報は、色、明るさ、大きさ、形状、および、点滅間隔のうち少なくともいずれか一つの表示形態が前記アクセス状況に対応している
ことを特徴とするアクセス状況表示システム。
【請求項４】
請求項１から請求項３のいずれかに記載のアクセス状況表示システムにおいて、
前記アクセス状況情報で表されるアクセス状況は、所定のリンク先ウェブページのアクセス数累計値を、前記表示中のリンク元ウェブページでリンク情報が表示される全てのリンク先ウェブページのアクセス数累計値の合計値で除したアクセス率である
ことを特徴とするアクセス状況表示システム。
【請求項５】
リンク先ウェブページにリンクするリンク情報を有するリンク元ウェブページを表示可能な端末装置と、この端末装置とネットワークを介して接続されたサーバ装置と、を用い、複数の前記リンク元ウェブページにリンクされている前記リンク先ウェブページのアクセス状況を前記端末装置で表示させるアクセス状況表示方法であって、
前記サーバ装置は、
前記複数のリンク元ウェブページのうちいずれかを介して前記リンク先ウェブページをアクセスした旨のアクセス情報を前記端末装置から取得して、前記リンク先ウェブページのアクセス数を累計するアクセス数累計工程と、
前記端末装置で表示中のリンク元ウェブページのアドレスを取得すると、前記リンク情報にリンクされているリンク先ウェブページの前記複数のリンク元ウェブページを介したアクセス数累計値に関するアクセス累計値情報を前記端末装置へ送信するサーバ送信工程と、を実施し、
前記端末装置は、
前記アクセス情報を前記サーバ装置へ送信するアクセス情報送信工程と、
所定のリンク元ウェブページを表示すると、このリンク元ウェブページのアドレスを前記サーバ装置へ送信するリンク元アドレス送信工程と、
前記サーバ装置から表示中のリンク元ウェブページにリンクされているリンク先ウェブページの前記アクセス累計値情報を取得すると、このアクセス累計値情報に基づいて、前記リンク先ウェブページのアクセス状況を表すアクセス状況情報を生成するアクセス状況情報生成工程と、
このアクセス状況情報生成工程で生成されたアクセス状況情報を前記リンク先ウェブページのリンク情報に重ねて表示させるアクセス状況表示制御工程と、を実施する
ことを特徴とするアクセス状況表示方法。
【請求項６】
リンク先ウェブページにリンクするリンク情報を有するリンク元ウェブページを表示可能な端末装置と、この端末装置とネットワークを介して接続されたサーバ装置と、を用い、複数の前記リンク元ウェブページにリンクされている前記リンク先ウェブページのアクセス状況を前記端末装置で表示させるアクセス状況表示方法であって、
前記サーバ装置は、
前記複数のリンク元ウェブページのうちいずれかを介して前記リンク先ウェブページをアクセスした旨のアクセス情報を前記端末装置から取得して、前記リンク先ウェブページのアクセス数を累計するアクセス数累計工程と、
前記端末装置で表示中のリンク元ウェブページのアドレスを取得すると、前記リンク情報にリンクされているリンク先ウェブページの前記複数のリンク元ウェブページを介したアクセス数累計値に基づいて、前記リンク先ウェブページのアクセス状況を表すアクセス状況情報を生成するアクセス状況情報生成工程と、
このアクセス状況情報生成手段で生成されたアクセス状況情報を前記端末装置へ送信するサーバ送信工程と、を実施し、
前記端末装置は、
前記アクセス情報を前記サーバ装置へ送信するアクセス情報送信工程と、
所定のリンク元ウェブページを表示すると、このリンク元ウェブページのアドレスを前記サーバ装置へ送信するリンク元アドレス送信工程と、
前記サーバ装置から表示中のリンク元ウェブページにリンクされているリンク先ウェブページの前記アクセス状況情報を取得して前記リンク先ウェブページのリンク情報に重ねて表示させるアクセス状況表示制御工程と、を実施する
ことを特徴とするアクセス状況表示方法。
【発明の詳細な説明】
【技術分野】
【０００１】
本発明は、アクセス状況表示システム、および、アクセス状況表示方法に関するものである。
【背景技術】
【０００２】
従来、ウェブページに設けられたハイパーリンクに対するクリック状況に基づいて、ハイパーリンク先のウェブページへのアクセス状況を判断する構成が知られている（例えば、特許分権１，２参照）。
特許文献１に記載のものは、リンク元画面にリンク先画面にアクセスするためのクリック部が設けられており、このクリック部をクリックしてリンクをリクエストした際に、リンクされたリンク先画面へのアクセスを行う処理を、クリックカウンタと独立して開始する構成が採られている。
特許文献２に記載のものは、ウェブページ上のリンクに対するユーザのクリック履歴を認識し、色分けした陰影などの視覚的表示をウェブページの提示上に重ね合わせることによって、ウェブページ上の種々のオブジェクトの相対的人気度を表すレポートを生成する構成が採られている。
【０００３】
【特許文献１】特開２００５−９９９６２号公報
【特許文献２】特表２００６−５２４８６５号公報
【発明の開示】
【発明が解決しようとする課題】
【０００４】
しかしながら、特許文献１，２のような構成では、所定のリンク元ウェブページ（第１リンク元ウェブページと称す）に設けられたハイパーリンクのアクセス数しか認識できないため、このハイパーリンクのリンク先ウェブページが他のウェブページ（第２リンク元ウェブページと称す）にもリンクされている場合でも、第１リンク元ウェブページにおけるアクセス数しか認識できない。このため、ユーザに対してリンク先ウェブページの実際のアクセス数を把握させることができないおそれがある。
【０００５】
本発明の目的は、このような点に鑑みて、ユーザにリンク先ウェブページのアクセス状況を適切に把握させることが可能なアクセス状況表示システム、および、アクセス状況表示方法を提供することである。
【課題を解決するための手段】
【０００６】
本発明のアクセス状況表示システムは、リンク先ウェブページにリンクするリンク情報を有するリンク元ウェブページを表示可能な端末装置と、この端末装置とネットワークを介して接続されたサーバ装置と、を具備し、複数の前記リンク元ウェブページにリンクされている前記リンク先ウェブページのアクセス状況を前記端末装置で表示させるアクセス状況表示システムであって、前記サーバ装置は、前記複数のリンク元ウェブページのうちいずれかを介して前記リンク先ウェブページをアクセスした旨のアクセス情報を前記端末装置から取得して、前記リンク先ウェブページのアクセス数を累計するアクセス数累計手段と、前記端末装置で表示中のリンク元ウェブページのアドレスを取得すると、前記リンク情報にリンクされているリンク先ウェブページの前記複数のリンク元ウェブページを介したアクセス数累計値に関するアクセス累計値情報を前記端末装置へ送信するサーバ送信手段と、を備え、前記端末装置は、前記アクセス情報を前記サーバ装置へ送信するアクセス情報送信手段と、所定のリンク元ウェブページを表示すると、このリンク元ウェブページのアドレスを前記サーバ装置へ送信するリンク元アドレス送信手段と、前記サーバ装置から表示中のリンク元ウェブページにリンクされているリンク先ウェブページの前記アクセス累計値情報を取得すると、このアクセス累計値情報に基づいて、前記リンク先ウェブページのアクセス状況を表すアクセス状況情報を生成するアクセス状況情報生成手段と、このアクセス状況情報生成手段で生成されたアクセス状況情報を前記リンク先ウェブページのリンク情報に重ねて表示させるアクセス状況表示制御手段と、を備えたことを特徴とする。
【０００７】
この発明によれば、サーバ装置は、複数のリンク元ウェブページのうちいずれかを介してリンク先ウェブページをアクセスした旨のアクセス情報を端末装置から取得すると、このリンク先ウェブページのアクセス数を累計する。そして、端末装置で表示中のリンク元ウェブページのアドレスを取得すると、リンク元ウェブページのリンク情報にリンクされているリンク先ウェブページのアクセス累計値情報を端末装置へ送信する。端末装置は、このアクセス累計値情報に基づいて、リンク先ウェブページのアクセス状況情報をリンク情報に重ねて表示する。
このため、端末装置は、所定のリンク先ウェブページのアクセス数として、特定のリンク元ウェブページでのアクセス数と他のリンク元ウェブページでアクセス数との累積値を表示させることができ、ユーザにリンク先ウェブページのアクセス状況を適切に把握させることができる。また、アクセス状況情報をリンク情報に重ねて表示させるので、ユーザにリンク先ウェブページのアクセス状況を容易に把握させることができる。
【０００８】
本発明のアクセス状況表示システムは、リンク先ウェブページにリンクするリンク情報を有するリンク元ウェブページを表示可能な端末装置と、この端末装置とネットワークを介して接続されたサーバ装置と、を具備し、複数の前記リンク元ウェブページにリンクされている前記リンク先ウェブページのアクセス状況を前記端末装置で表示させるアクセス状況表示システムであって、前記サーバ装置は、前記複数のリンク元ウェブページのうちいずれかを介して前記リンク先ウェブページをアクセスした旨のアクセス情報を前記端末装置から取得して、前記リンク先ウェブページのアクセス数を累計するアクセス数累計手段と、前記端末装置で表示中のリンク元ウェブページのアドレスを取得すると、前記リンク情報にリンクされているリンク先ウェブページの前記複数のリンク元ウェブページを介したアクセス数累計値に基づいて、前記リンク先ウェブページのアクセス状況を表すアクセス状況情報を生成するアクセス状況情報生成手段と、このアクセス状況情報生成手段で生成されたアクセス状況情報を前記端末装置へ送信するサーバ送信手段と、を備え、前記端末装置は、前記アクセス情報を前記サーバ装置へ送信するアクセス情報送信手段と、所定のリンク元ウェブページを表示すると、このリンク元ウェブページのアドレスを前記サーバ装置へ送信するリンク元アドレス送信手段と、前記サーバ装置から表示中のリンク元ウェブページにリンクされているリンク先ウェブページの前記アクセス状況情報を取得して前記リンク先ウェブページのリンク情報に重ねて表示させるアクセス状況表示制御手段と、を備えたことを特徴とする。
【０００９】
この発明によれば、サーバ装置は、端末装置で表示中のリンク元ウェブページのアドレスを取得すると、複数のリンク元ウェブページのうちいずれかを介したリンク先ウェブページのアクセス累計値に基づいて、このリンク先ウェブページのアクセス状況情報を生成して端末装置へ送信する。端末装置は、このアクセス状況情報をリンク情報に重ねて表示させる。
このため、端末装置は、所定のリンク先ウェブページのアクセス数として、特定のリンク元ウェブページでのアクセス数と他のリンク元ウェブページでアクセス数との累積値を表示させることができ、ユーザにリンク先ウェブページのアクセス状況を適切に把握させることができる。また、アクセス状況情報をリンク情報に重ねて表示させるので、ユーザにリンク先ウェブページのアクセス状況を容易に把握させることができる。
【００１０】
本発明のアクセス状況表示システムでは、前記アクセス状況情報は、色、明るさ、大きさ、形状、および、点滅間隔のうち少なくともいずれか一つの表示形態が前記アクセス状況に対応していることが好ましい。
この発明によれば、アクセス状況に対応してアクセス状況情報の表示形態を設定することで、ユーザにリンク先ウェブページのアクセス数の多さを容易に識別させることができる。
【００１１】
本発明のアクセス状況表示システムでは、前記アクセス状況情報で表されるアクセス状況は、所定のリンク先ウェブページのアクセス数累計値を、前記表示中のリンク元ウェブページでリンク情報が表示される全てのリンク先ウェブページのアクセス数累計値の合計値で除したアクセス率である
この発明によれば、アクセス状況情報として上記アクセス率を適用することで、所定のリンク元ウェブページにリンクされているリンク先ウェブページの相対的なアクセス数の多さをユーザに容易に把握させることができる。また、アクセス率が取り得る範囲の上限値は１００％である一方、アクセス累積値が取り得る範囲の上限値は無限大である。このため、アクセス状況に対応してアクセス状況情報の表示形態を設定する構成にアクセス率を適用すれば、表示形態の設定種類数を特定数にすることができ、容易に表示制御できる。
【００１２】
本発明のアクセス状況表示方法は、リンク先ウェブページにリンクするリンク情報を有するリンク元ウェブページを表示可能な端末装置と、この端末装置とネットワークを介して接続されたサーバ装置と、を用い、複数の前記リンク元ウェブページにリンクされている前記リンク先ウェブページのアクセス状況を前記端末装置で表示させるアクセス状況表示方法であって、前記サーバ装置は、前記複数のリンク元ウェブページのうちいずれかを介して前記リンク先ウェブページをアクセスした旨のアクセス情報を前記端末装置から取得して、前記リンク先ウェブページのアクセス数を累計するアクセス数累計工程と、前記端末装置で表示中のリンク元ウェブページのアドレスを取得すると、前記リンク情報にリンクされているリンク先ウェブページの前記複数のリンク元ウェブページを介したアクセス数累計値に関するアクセス累計値情報を前記端末装置へ送信するサーバ送信工程と、を実施し、前記端末装置は、前記アクセス情報を前記サーバ装置へ送信するアクセス情報送信工程と、所定のリンク元ウェブページを表示すると、このリンク元ウェブページのアドレスを前記サーバ装置へ送信するリンク元アドレス送信工程と、前記サーバ装置から表示中のリンク元ウェブページにリンクされているリンク先ウェブページの前記アクセス累計値情報を取得すると、このアクセス累計値情報に基づいて、前記リンク先ウェブページのアクセス状況を表すアクセス状況情報を生成するアクセス状況情報生成工程と、このアクセス状況情報生成工程で生成されたアクセス状況情報を前記リンク先ウェブページのリンク情報に重ねて表示させるアクセス状況表示制御工程と、を実施することを特徴とする。
また、本発明の他のアクセス状況表示方法は、リンク先ウェブページにリンクするリンク情報を有するリンク元ウェブページを表示可能な端末装置と、この端末装置とネットワークを介して接続されたサーバ装置と、を用い、複数の前記リンク元ウェブページにリンクされている前記リンク先ウェブページのアクセス状況を前記端末装置で表示させるアクセス状況表示方法であって、前記サーバ装置は、前記複数のリンク元ウェブページのうちいずれかを介して前記リンク先ウェブページをアクセスした旨のアクセス情報を前記端末装置から取得して、前記リンク先ウェブページのアクセス数を累計するアクセス数累計工程と、前記端末装置で表示中のリンク元ウェブページのアドレスを取得すると、前記リンク情報にリンクされているリンク先ウェブページの前記複数のリンク元ウェブページを介したアクセス数累計値に基づいて、前記リンク先ウェブページのアクセス状況を表すアクセス状況情報を生成するアクセス状況情報生成工程と、このアクセス状況情報生成手段で生成されたアクセス状況情報を前記端末装置へ送信するサーバ送信工程と、を実施し、前記端末装置は、前記アクセス情報を前記サーバ装置へ送信するアクセス情報送信工程と、所定のリンク元ウェブページを表示すると、このリンク元ウェブページのアドレスを前記サーバ装置へ送信するリンク元アドレス送信工程と、前記サーバ装置から表示中のリンク元ウェブページにリンクされているリンク先ウェブページの前記アクセス状況情報を取得して前記リンク先ウェブページのリンク情報に重ねて表示させるアクセス状況表示制御工程と、を実施することを特徴とする。
この発明によれば、上述したアクセス状況表示システムと同様の作用効果を奏することが可能となる。
【発明を実施するための最良の形態】
【００１３】
［アクセス状況表示システムの構成］
以下、本発明の一実施形態を説明する。
図１は、本発明の一実施形態に係るアクセス状況表示システムの概略構成を示す模式図である。図２は、アクセス状況ＤＢの概略構成を示す模式図である。図３は、リンク元ウェブページの表示状態を示す模式図である。
【００１４】
図１に示すように、アクセス状況表示システム１は、ネットワーク２と、第１，第２ウェブサーバ装置３Ａ，３Ｂと、サーバ装置４と、端末装置５と、を備えている。なお、図１では、１個の端末装置５あるいは２個のウェブサーバ装置しか図示していないが、実際には、複数の端末装置５あるいは３個以上のウェブサーバ装置を備えている。
ネットワーク２は、第１，第２ウェブサーバ装置３Ａ，３Ｂと、サーバ装置４と、端末装置５と、を情報の送受信が可能な状態に接続する。このネットワーク２としては、インターネット、イントラネット、ＬＡＮ（Local Area Network）、無線媒体により情報が送受信可能な複数の基地局がネットワークを構成する通信回線網や放送網などのネットワーク、さらには、第１，第２ウェブサーバ装置３Ａ，３Ｂと、サーバ装置４と、端末装置５との間で情報を直接送受信するための媒体となる無線媒体自体などが例示できる。ここで、無線媒体としては、電波、光、音波、電磁波などのいずれの媒体をも適用できる。
第１，第２ウェブサーバ装置３Ａ，３Ｂは、端末装置５からの要求に基づいて、リンク元ウェブページ６（例えば、図３参照）を端末装置５へ送信する。
【００１５】
サーバ装置４は、アクセス状況ＤＢ（データベース）４１と、サーバ制御部４２と、を備えている。
アクセス状況ＤＢ４１は、図２に示すように、アクセス数累計値情報としての少なくとも一つの重畳画像生成用情報４１０を備えている。
重畳画像生成用情報４１０は、リンク元ＵＲＬ情報４１１と、リンク先ＵＲＬ情報４１２と、リンク表示位置情報４１３と、マウスイベント数情報４１４と、を備えている。
リンク元ＵＲＬ情報４１１には、リンク元ウェブページ６のアドレスとしてのＵＲＬが記録されている。リンク先ＵＲＬ情報４１２には、図示しないリンク先ウェブページのＵＲＬが記録されている。リンク表示位置情報４１３には、リンク元ウェブページ６におけるリンク先ウェブページのリンク情報としての内容情報６３（例えば、図３参照）の表示位置が記録されている。マウスイベント数情報４１４には、端末装置５の図示しないマウスでクリックされてアクセスされたリンク先ウェブページのアクセス累積数（マウスイベント数）が記録されている。
アクセス状況ＤＢ４１に図２に示すような重畳画像生成用情報４１０が記録されている場合、ＵＲＬが「リンク先ＵＲＬ−１」のリンク先ウェブページの内容情報６３の表示位置が、ＵＲＬが「リンク元ＵＲＬ−１」のリンク元ウェブページ６（以下、必要に応じて、第１リンク元ウェブページ６と称す）の「表示位置−１」と、「リンク元ＵＲＬ−４」のリンク元ウェブページ６（以下、必要に応じて、第４リンク元ウェブページ６と称す）の「表示位置−５」であり、第１，第４リンク元ウェブページ６の内容情報６３がクリックされた回数の累計値が２５０であることを表している。
【００１６】
サーバ制御部４２は、各種プログラムから構成された、アクセス数累計手段としてのＤＢ更新手段４２１と、サーバ送信手段としての重畳画像生成用情報送信手段４２２と、を備えている。
ＤＢ更新手段４２１は、端末装置５において所定のリンク先ウェブページの内容情報６３（図３参照）がクリックされた旨のアクセス情報を取得すると、アクセス状況ＤＢ４１を更新する。
具体的には、ＤＢ更新手段４２１は、クリックされたリンク先ウェブページのＵＲＬと、このリンク先ウェブページがリンクしているリンク元ウェブページ６のＵＲＬと、リンク元ウェブページ６におけるリンク先ウェブページの内容情報６３の表示位置とに関するアクセス情報を取得すると、これらの内容に対応する重畳画像生成用情報４１０がアクセス状況ＤＢ４１に登録されているか否かを判断する。
そして、アクセス情報のリンク先ウェブページおよびリンク元ウェブページ６に関する重畳画像生成用情報４１０が登録されている場合、この重畳画像生成用情報４１０のマウスイベント数の数値を１だけ増やす。このとき、この重畳画像生成用情報４１０のリンク先ＵＲＬ情報４１２と内容が同じであり、かつ、リンク元ＵＲＬ情報４１１の内容が違う重畳画像生成用情報４１０が登録されている場合、この重畳画像生成用情報４１０のマウスイベント数の数値を１だけ増やす。つまり、リンク先ＵＲＬ情報４１２の内容が同じ全ての重畳画像生成用情報４１０のマウスイベント数情報４１４には、同じ値が記録される。
また、アクセス情報のリンク先ウェブページおよびリンク元ウェブページ６の両方に関する重畳画像生成用情報４１０が登録されていない場合、これらの内容を有するとともに、マウスイベント数を１に設定した重畳画像生成用情報４１０を新たに登録する。
さらに、アクセス情報のリンク先ウェブページに関するリンク先ＵＲＬ情報４１２を有し、かつ、リンク元ウェブページ６に関するリンク元ＵＲＬ情報４１１を有していない重畳画像生成用情報４１０が登録されている場合、この重畳画像生成用情報４１０のマウスイベント数の数値を１だけ増やす。さらに、この重畳画像生成用情報４１０のマウスイベント数情報４１４と同じ内容にマウスイベント数を設定するとともに、リンク先ウェブページおよびリンク元ウェブページ６の両方の内容を有する重畳画像生成用情報４１０を新たに登録する。
【００１７】
重畳画像生成用情報送信手段４２２は、端末装置５から表示中のリンク元ウェブページ６のＵＲＬを取得すると、このＵＲＬに関するリンク元ＵＲＬ情報４１１を有する重畳画像生成用情報４１０をアクセス状況ＤＢ４１から取得する。そして、この取得した重畳画像生成用情報４１０を端末装置５へ送信する。
【００１８】
端末装置５は、図１に示すように、入力手段５１と、表示手段５２と、端末表示制御装置５３と、を備えている。
入力手段５１は、例えばキーボードやマウスなどで、入力操作される図示しない各種操作ボタンや操作つまみなどを有している。なお、入力手段５１としては、操作ボタンや操作つまみなどの入力操作に限らず、例えば表示手段５２に設けられたタッチパネルによる入力操作や、音声による入力操作など、各種設定事項を設定入力可能ないずれの構成を適用できる。
表示手段５２は、端末表示制御装置５３の制御により各種画像を表示させる。この表示手段５２としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１９】
端末表示制御装置５３は、各種プログラムから構成された、ブラウザ５３１と、ツールバー表示制御部５３２と、を備えている。
ブラウザ５３１は、図３に示すように、表示手段５２にリンク元ウェブページ６やリンク先ウェブページのＵＲＬを入力可能なＵＲＬ入力領域５２１を表示させる。そして、このＵＲＬ入力領域５２１に、例えば第１ウェブサーバ装置３Ａが配信する第１リンク元ウェブページ６のＵＲＬである「ｈｔｔｐ：／／ｈｏｇｅ．ｃｏ．ｊｐ（ＵＲＬ−１）」が入力されると、ネットワーク２を介して、このリンク元ウェブページ６を取得して、表示手段５２に表示させる。
このリンク元ウェブページ６は、ニュース領域６１と、スポーツ領域６２と、を有している。各領域６１，６２には、ニュースやスポーツの内容を表す文章に、リンク先ウェブページにリンクするハイパーリンクを設定した内容情報６３が表示されている。なお、図３において、例えば「インフルエンザ…」はリンク先ウェブページの内容を表す文章であり実際に表示手段５２に表示されており、「（リンク先ＵＲＬ−１）」はリンク先ウェブページのＵＲＬにリンクされていることを表し実際に表示手段５２には表示されていないことを意味する。
【００２０】
ツールバー表示制御部５３２は、例えばブラウザ５３１のみを有する端末装置５に、後からプログラムがインストールされることにより端末装置５に設けられる。このツールバー表示制御部５３２は、図１に示すように、選択ボタン対応処理手段５３３と、アクセス情報送信手段５３４と、リンク元アドレス送信手段５３５と、アクセス状況情報生成手段としての重畳画像生成手段５３６と、アクセス状況表示制御手段としての重畳画像表示手段５３７と、を備えている。
選択ボタン対応処理手段５３３は、図３に示すように、表示手段５２にツールバー５２２を表示させる。このツールバー５２２は、図示しない操作ボタンを有している。そして、所定の操作ボタンが入力手段５１の操作により選択されると、この操作ボタンに対応する処理、例えば鉄道の運行状況などの表示処理を実施する。
【００２１】
アクセス情報送信手段５３４は、所定のリンク元ウェブページ６の内容情報６３がクリックされたことをマウスイベントして取得して、その旨のアクセス情報をサーバ装置４へ送信する。
リンク元アドレス送信手段５３５は、ブラウザ５３１の制御により所定のリンク元ウェブページ６にアクセスされたことを認識すると、このリンク元ウェブページ６のＵＲＬをブラウザ５３１から取得して、このＵＲＬをサーバ装置４へ送信する。
重畳画像生成手段５３６は、サーバ装置４から重畳画像生成用情報４１０を取得すると、この重畳画像生成用情報４１０に基づくアクセス状況情報としての重畳画像６４（図５参照）を生成する。
重畳画像表示手段５３７は、重畳画像６４をリンク元ウェブページ６の所定の内容情報６３に重畳させて表示させる。
なお、重畳画像生成手段５３６および重畳画像表示手段５３７の詳細な動作については後述する。
【００２２】
［アクセス状況表示システムの動作］
次に、アクセス状況表示システムの動作について説明する。図４は、アクセス状況表示システムの動作を示すフローチャートである。図５は、重畳画像の表示状態を示す模式図である。図６は、他の重畳画像の表示状態を示す模式図である。
【００２３】
アクセス状況表示システム１の端末装置５のブラウザ５３１は、所定のリンク元ウェブページ６のＵＲＬがＵＲＬ入力領域５２１に入力されると、図４に示すように、リンク元ウェブページ６へのアクセスを開始して（ステップＳ１）、表示手段５２にリンク元ウェブページ６を表示させる（ステップＳ２）。さらに、このリンク元ウェブページ６のＵＲＬをツールバー表示制御部５３２のリンク元アドレス送信手段５３５へ出力する。
リンク元アドレス送信手段５３５は、ブラウザ５３１からＵＲＬを取得すると（ステップＳ３）、このＵＲＬをサーバ装置４の重畳画像生成用情報送信手段４２２へ送信する。また、ツールバー表示制御部５３２のアクセス情報送信手段５３４は、ブラウザ５３１から所定の内容情報６３がクリックされた旨のマウスイベントを取得すると（ステップＳ４）、この内容情報６３に関するアクセス情報をサーバ装置４のＤＢ更新手段４２１へ送信する。
【００２４】
重畳画像生成用情報送信手段４２２は、端末装置５からのリンク元ウェブページ６のＵＲＬを取得する（ステップＳ５）。さらに、ＤＢ更新手段４２１は、端末装置５からのアクセス情報を取得すると（ステップＳ６）、このアクセス情報に基づきアクセス状況ＤＢ４１を更新する（ステップＳ７）。
この後、重畳画像生成用情報送信手段４２２は、端末装置５で表示中のリンク元ウェブページ６のＵＲＬに関するリンク元ＵＲＬ情報４１１を有する重畳画像生成用情報４１０をアクセス状況ＤＢ４１から取得して、ツールバー表示制御部５３２へ送信する（ステップＳ８）。例えば、リンク元ウェブページ６のＵＲＬとして「リンク元ＵＲＬ−１」を取得すると、図２に示すようなリンク先ＵＲＬ情報４１２のＵＲＬが「リンク先ＵＲＬ−１」の重畳画像生成用情報４１０と、「リンク先ＵＲＬ−２」の重畳画像生成用情報４１０とを送信する。
【００２５】
ツールバー表示制御部５３２の重畳画像生成手段５３６は、重畳画像生成用情報４１０を取得すると（ステップＳ９）、アクセス率に応じた重畳画像６４を生成する（ステップＳ１０）。
具体的には、重畳画像生成手段５３６は、例えば、上述したような、表示中のリンク元ウェブページ６に対応する２個の重畳画像生成用情報４１０を取得すると、以下の式（１）に基づいて、各内容情報６３に関するアクセス率を算出する。
【００２６】
（数１）
Ｅ＝Ｆ／Ｇ  …  （１）
Ｅ：アクセス率
Ｆ：所定のリンク先ウェブページのマウスイベント数
Ｇ：リンク元ウェブページに内容情報が表示されている全てのリンク先ウェブページのマウスイベント数の総和
【００２７】
そして、重畳画像生成手段５３６は、このアクセス率に応じた大きさの重畳画像６４を生成する。
例えば、重畳画像生成手段５３６は、ＵＲＬが「リンク先ＵＲＬ−１」のリンク先ウェブページのアクセス率を２５％（＝２５０／（２５０＋７５０））と算出し、「リンク先ＵＲＬ−２」のリンク先ウェブページのアクセス率を７５％（＝７５０／（２５０＋７５０））と算出する。そして、基準の大きさの重畳画像６４（以下、６４Ａと適宜記す。（図６参照））に対する大きさが２５％の重畳画像６４（以下、６４Ｂと適宜記す。（図５参照））と、７５％の重畳画像６４Ｃ（以下、６４Ｃと適宜記す。（図５参照））とを生成する。なお、重畳画像６４は、大きさが異なるだけで、楕円形の形状および色が略同じものに設定されている。
また、例えば、ＵＲＬが「リンク先ＵＲＬ−２」のリンク先ウェブページのアクセス率が１００％と算出すると、基準の大きさの重畳画像６４Ａを生成する。
【００２８】
この後、重畳画像表示手段５３７は、重畳画像生成手段５３６で生成された重畳画像６４をリンク元ウェブページ６の内容情報６３に重畳して表示させる（ステップＳ１１）。
具体的には、重畳画像表示手段５３７は、重畳画像生成用情報４１０のリンク表示位置情報４１３に基づいて、「リンク先ＵＲＬ−１」のリンク先ウェブページの内容情報６３がリンク元ウェブページ６の「表示位置−１」に表示されていることを認識し、図５に示すように、この「表示位置−１」に重畳画像６４Ｂを表示させる。また、「リンク先ＵＲＬ−２」のリンク先ウェブページの内容情報６３が「表示位置−５」に表示されていることを認識し、この「表示位置−５」に重畳画像６４Ｃを表示させる。
また、「リンク先ＵＲＬ−２」のリンク先ウェブページのアクセス率が１００％の場合には、図６に示すように、「表示位置−５」に重畳画像６４Ａを生成する。
【００２９】
［アクセス状況表示システムの作用効果］
上述したように、上記実施形態では、以下のような作用効果を奏することができる。
【００３０】
（１）アクセス状況表示システム１のサーバ装置４は、複数のリンク元ウェブページ６のうちいずれかを介してリンク先ウェブページにアクセスした旨を認識すると、このリンク先ウェブページのアクセス数を累計する。そして、端末装置５で表示中のリンク元ウェブページ６のＵＲＬを取得すると、リンク元ウェブページ６に内容情報６３が表示されているリンク先ウェブページの重畳画像生成用情報４１０を端末装置５へ送信する。端末装置５は、この重畳画像生成用情報４１０に基づいて、リンク先ウェブページのアクセス状況に対応する重畳画像６４を表示する。
このため、端末装置５は、所定のリンク先ウェブページのアクセス数として、特定のリンク元ウェブページ６でのアクセス数と他のリンク元ウェブページ６でアクセス数との累積値に対応する重畳画像６４を表示させることができ、ユーザにリンク先ウェブページのアクセス状況を適切に把握させることができる。特に、重畳画像６４を内容情報６３に重畳させて表示させているため、ユーザにリンク先ウェブページのアクセス状況を容易に把握させることができる。
【００３１】
（２）重畳画像６４の大きさをアクセス状況に対応させているため、ユーザにリンク先ウェブページのアクセス数の多さを容易に識別させることができる。
【００３２】
（３）重畳画像６４の大きさをアクセス率に応じて設定しているため、所定のリンク元ウェブページ６にリンクされているリンク先ウェブページの相対的なアクセス数の多さをユーザに容易に把握させることができる。また、大きさの設定種類数を特定数にすることができ、容易に表示制御できる。
【００３３】
（４）後からプログラムがインストールされることにより端末装置５に設けられるツールバー表示制御部５３２に、重畳画像６４を表示させるための機能を有する各手段５３４〜５３７を設けている。このため、ブラウザ５３１のみを有する端末装置５であっても、後からツールバー表示制御部５３２をインストールすることで、重畳画像６４を表示させる機能を持たせることができる。
【００３４】
［実施形態の変形例］
なお、以上に説明した態様は、本発明の一態様を示したものであって、本発明は、前記した実施形態に限定されるものではなく、本発明の目的および効果を達成できる範囲内での変形や改良が、本発明の内容に含まれるものであることはいうまでもない。
【００３５】
すなわち、重畳画像６４の色、明るさ、大きさ、形状、および、点滅間隔のうち少なくともいずれか一つをアクセス率に対応させてもよい。また、重畳画像６４の大きさなどを、マウスイベント数に対応する状態に設定してもよい。
そして、アクセス状況情報生成手段としての重畳画像生成手段５３６をサーバ装置４に設けてもよい。
【００３６】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【産業上の利用可能性】
【００３７】
本発明は、アクセス状況表示システム、および、アクセス状況表示方法に利用できる。
【図面の簡単な説明】
【００３８】
【図１】本発明の一実施形態に係るアクセス状況表示システムの概略構成を示す模式図である。
【図２】前記一実施形態におけるアクセス状況ＤＢの概略構成を示す模式図である。
【図３】前記一実施形態におけるリンク元ウェブページの表示状態を示す模式図である。
【図４】前記一実施形態におけるアクセス状況表示システムの動作を示すフローチャートである。
【図５】前記一実施形態における重畳画像の表示状態を示す模式図である。
【図６】前記一実施形態における他の重畳画像の表示状態を示す模式図である。
【符号の説明】
【００３９】
１…アクセス状況表示システム
２…ネットワーク
４…サーバ装置
５…端末装置
６…リンク元ウェブページ
６３…リンク情報としての内容情報
６４，６４Ａ，６４Ｂ，６４Ｃ…アクセス状況情報としての重畳画像
４１０…アクセス数累計値情報としての重畳画像生成用情報
４２１…アクセス数累計手段としてのＤＢ更新手段
４２２…サーバ送信手段としての重畳画像生成用情報送信手段
５３４…アクセス情報送信手段
５３５…リンク元アドレス送信手段
５３６…アクセス状況情報生成手段としての重畳画像生成手段
５３７…アクセス状況表示制御手段としての重畳画像表示手段
【図１】
2010146451.tif 000003
【図２】
2010146451.tif 000004
【図３】
2010146451.tif 000005
【図４】
2010146451.tif 000006
【図５】
2010146451.tif 000007
【図６】
2010146451.tif 000008